(57)【特許請求の範囲】
【請求項１】
分電盤に電力線を介して接続され、当該電力線からの電力供給により発光する照明器具と、
前記分電盤に電力線を介して接続された、前記照明器具を含む複数の機器の電力使用量を取得し、取得した電力使用量に応じてデマンド信号を出力するデマンドコントローラと、
前記照明器具に接続された前記電力線上に設けられるスイッチ、及び、前記デマンド信号を受信した場合に前記スイッチを第１所定期間オフすることにより、前記電力供給を前記第１所定期間停止する制御を行うスイッチ制御部を有する制御装置と、
人感センサとを備え、
前記照明器具は、
前記電力供給により発光する発光部と、
前記電力供給の停止を検出する検出部と、
前記電力供給が前記第１所定期間停止されたことを前記検出部が検出した場合に、（ｉ）前記検出の直前の第２所定期間において前記人感センサが人を検知していたときには、前記検出の直前の第１調光状態よりも暗い第２調光状態で前記発光部を発光させ、（ｉｉ）前記第２所定期間において前記人感センサが人を検知していなかったときには、前記第２調光状態よりも暗い第３調光状態で前記発光部を発光させる、制御部とを有する
照明システム。
【請求項２】
前記制御装置は、前記スイッチを複数備え、
前記照明システムは、複数の前記スイッチにそれぞれ対応する複数の前記照明器具を備え、
前記スイッチ制御部は、複数の前記スイッチを異なるタイミングで前記第１所定期間オフする
請求項１に記載の照明システム。
【請求項３】
前記制御装置は、複数の前記スイッチの優先順位が記憶された記憶部を備え、
前記スイッチ制御部は、前記記憶部に記憶された優先順位にしたがって、複数の前記スイッチを順次、前記第１所定期間オフする
請求項２に記載の照明システム。
【請求項４】
複数の前記照明器具のそれぞれは、さらに、当該照明器具が備える前記人感センサが人を検知したときに、当該照明器具に対応する前記スイッチを示す識別情報を送信する送信部を備え、
前記制御装置は、さらに、前記送信部が送信した識別情報を受信する受信部を備え、
前記スイッチ制御部は、前記デマンド信号を受信する直前の第３所定期間において前記受信部が受信した識別情報が示す前記スイッチを、前記デマンド信号を受信する直前の第３所定期間において前記受信部が識別情報を受信しなかった前記照明器具に対応する前記スイッチよりも後に、前記第１所定期間オフする
請求項２に記載の照明システム。
【請求項５】
前記人感センサは、当該人感センサを有する前記照明器具の設置場所における人の滞在時間をさらに検知し、
前記送信部は、さらに、前記滞在時間を示す滞在時間情報を送信し、
前記受信部は、さらに、前記送信部が送信した滞在時間情報を受信し、
前記スイッチ制御部は、受信された滞在時間情報が示す滞在時間が長い場所に設置された前記照明器具に対応する前記スイッチほど、遅いタイミングで前記第１所定期間オフする
請求項４に記載の照明システム。
【請求項６】
前記照明器具は、さらに、前記人感センサが人を検知したときに、前記照明器具以外の照明器具であって、前記人感センサを有しない照明器具を前記第２調光状態または前記第３調光状態で発光させるための信号を送信する送信部を有する
請求項１に記載の照明システム。
【請求項７】
前記制御部は、前記第２調光状態または前記第３調光状態で前記発光部を発光させているときに、前記電力供給が前記第１所定期間よりも長い期間停止されたことを前記検出部が検出した場合であって、かつ、次に前記電力供給が開始された場合には、前記第１調光状態で前記発光部を発光させる
請求項１〜６のいずれか１項に記載の照明システム。
【請求項８】
前記照明器具は、さらに、ユーザの、前記第１調光状態、前記第２調光状態、及び、前記第３調光状態の設定を受け付ける設定受付部を有する
請求項１〜７のいずれか１項に記載の照明システム。
【請求項９】
前記デマンドコントローラは、取得した電力使用量が所定の目標使用量を超えると予測される場合に前記デマンド信号を出力する
請求項１〜８のいずれか１項に記載の照明システム。
【請求項１０】
前記第１所定期間は、１秒以上２秒以下の期間であり、
前記第２所定期間は、３０分の期間である
請求項１〜９のいずれか１項に記載の照明システム。
【請求項１１】
照明システムに含まれる照明器具の制御方法であって、
前記照明システムは、
分電盤に電力線を介して接続され、当該電力線からの電力供給により発光する前記照明器具と、
前記分電盤に電力線を介して接続された、前記照明器具を含む複数の機器の電力使用量を取得し、取得した電力使用量に応じてデマンド信号を出力するデマンドコントローラと、
前記照明器具に接続された前記電力線上に設けられるスイッチ、及び、前記デマンド信号を受信した場合に前記スイッチを第１所定期間オフすることにより、前記電力供給を前記第１所定期間停止する制御を行うスイッチ制御部を有する制御装置と、
人感センサとを備え、
前記照明器具は、
前記電力供給により発光する発光部と、
前記電力供給の停止を検出する検出部とを有し、
前記制御方法は、
前記電力供給が前記第１所定期間停止されたことを前記検出部が検出した場合に、（ｉ）前記検出の直前の第２所定期間において前記人感センサが人を検知していたときには、前記検出の直前の第１調光状態よりも暗い第２調光状態で前記発光部を発光させ、（ｉｉ）前記第２所定期間において前記人感センサが人を検知していなかったときには、前記第２調光状態よりも暗い第３調光状態で前記発光部を発光させる
制御方法。
【請求項１２】
複数の照明器具のそれぞれに対応して設けられた複数のスイッチであって、各々が、分電盤と当該スイッチに対応する照明器具とを接続する電力線上に設けられる複数のスイッチと、
前記分電盤に電力線を介して接続された、前記照明器具を含む複数の機器の電力使用量に応じて出力されるデマンド信号に基づいて前記複数のスイッチを第１所定期間オフすることにより、前記複数の照明器具への電力供給を、異なるタイミングで第１所定期間停止する制御を行うスイッチ制御部とを備える
制御装置。
【発明の詳細な説明】
【技術分野】
【０００１】
本発明は、デマンド制御に対応した照明システム及び制御装置に関する。
【背景技術】
【０００２】
近年、電力系統の安定化及び電力市場の自由化の動きに伴い、エネルギーマネジメントシステムが注目されている。例えば、需要家における電力使用量（デマンド）を予測し、電力使用量が契約電力を超えないように当該需要家に属する電気機器（例えば、空調機器及び照明機器など）を制御するデマンド制御システムが知られている（例えば、特許文献１参照）。
【先行技術文献】
【特許文献】
【０００３】
【特許文献１】特開２００９−２４００３２号公報
【発明の概要】
【発明が解決しようとする課題】
【０００４】
上記のようなデマンド制御システムの一例として、例えば、複数の照明器具をデマンド制御の対象とし、デマンド信号に応じて複数の照明器具の全てを画一的に減光する照明システムが考えられる。このような照明システムは、複数の照明器具のそれぞれが使用中であるか否かを考慮せずに照明器具を減光してしまうため、ユーザの快適性及び安全性を損なう場合がある。
【０００５】
本発明は、ユーザの快適性及び安全性を高めてデマンド制御を行うことができる照明システム及び制御装置を提供する。
【課題を解決するための手段】
【０００６】
本発明の一態様に係る照明システムは、分電盤に電力線を介して接続され、当該電力線からの電力供給により発光する照明器具と、前記分電盤に電力線を介して接続された、前記照明器具を含む複数の機器の電力使用量を取得し、取得した電力使用量に応じてデマンド信号を出力するデマンドコントローラと、前記照明器具に接続された前記電力線上に設けられるスイッチ、及び、前記デマンド信号を受信した場合に前記スイッチを第１所定期間オフすることにより、前記電力供給を前記第１所定期間停止する制御を行うスイッチ制御部を有する制御装置と、人感センサとを備え、前記照明器具は、前記電力供給により発光する発光部と、前記電力供給の停止を検出する検出部と、前記電力供給が前記第１所定期間停止されたことを前記検出部が検出した場合に、（ｉ）前記検出の直前の第２所定期間において前記人感センサが人を検知していたときには、前記検出の直前の第１調光状態よりも暗い第２調光状態で前記発光部を発光させ、（ｉｉ）前記第２所定期間において前記人感センサが人を検知していなかったときには、前記第２調光状態よりも暗い第３調光状態で前記発光部を発光させる、制御部とを有する。
【０００７】
本発明の一態様に係る制御装置は、複数の照明器具のそれぞれに対応して設けられた複数のスイッチであって、各々が、分電盤と当該スイッチに対応する照明器具とを接続する電力線上に設けられる複数のスイッチと、前記分電盤に電力線を介して接続された、前記照明器具を含む複数の機器の電力使用量に応じて出力されるデマンド信号に基づいて前記複数のスイッチを第１所定期間オフすることにより、前記複数の照明器具への電力供給を、異なるタイミングで第１所定期間停止する制御を行うスイッチ制御部とを備える。
【発明の効果】
【０００８】
本発明によれば、ユーザの快適性及び安全性を高めてデマンド制御を行うことができる照明システム及び制御装置が実現される。
【図面の簡単な説明】
【０００９】
【図１】図１は、実施の形態１に係る照明システムの構成を示すブロック図である。
【図２】図２は、実施の形態１に係る照明器具の外観図である。
【図３】図３は、親機として動作する照明器具の機能構成を示すブロック図である。
【図４】図４は、子機として動作する照明器具の機能構成を示すブロック図である。
【図５】図５は、照明器具の配置の一例を説明するための図である。
【図６】図６は、検出回路の回路図である。
【図７】図７は、検出回路における電圧波形を模式的に示す図である。
【図８】図８は、実施の形態１に係る照明システムの動作シーケンス図である。
【図９】図９は、調光状態と時間との関係を示す図である。
【図１０】図１０は、実施の形態１に係る照明システムの第１調光状態への復帰動作のシーケンス図である。
【発明を実施するための形態】
【００１０】
以下、実施の形態に係る照明システムについて、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態１）
［照明システムの全体構成］
まず、実施の形態１に係る照明システムの全体構成について説明する。図１は、実施の形態１に係る照明システムの構成を示すブロック図である。
【００１３】
図１に示されるように、照明システム１００は、複数の照明器具（例えば、照明器具１０、１１０、２１０、１０ａ、１１０ａ、及び２１０ａ）と、デマンドコントローラ３０と、分電盤４０と、制御盤５０とを備える。また、図１では、照明器具１０、１１０、及び２１０のそれぞれと分電盤４０とを接続する電力線７０、及び、電力線７０上に設けられた壁スイッチ２０も図示されている。同様に、照明器具１０ａ、１１０ａ、及び２１０ａのそれぞれと分電盤４０とを接続する電力線７０ａ、及び、電力線７０ａ上に設けられた壁スイッチ２０ａも図示されている。なお、照明システム１００に含まれる照明器具の台数は特に限定されるものではない。
【００１４】
照明システム１００では、分電盤４０に接続された機器の電力使用量の合計が増えたときに、複数の照明器具が暗く調光される。照明システム１００では、このときの調光状態（明るさ）が、当該照明器具の周辺に人がいるか否かに応じて異なる点が特徴である。以下、このような照明システム１００の各構成要素について詳細に説明する。
【００１５】
照明器具１０は、分電盤４０に電力線７０を介して接続され、当該電力線７０から供給される電力を用いて発光する。また、照明器具１０は、照明器具１１０及び２１０の親機として動作する。言い換えれば、照明器具１１０及び２１０は、照明器具１０の子機として動作する。親機として動作する照明器具１０と、子機として動作する照明器具１１０及び２１０との違いは、親機として動作する照明器具１０は、人感センサを備える点である。照明器具１０、１１０、及び２１０の詳細構成については後述する。
【００１６】
なお、照明器具１０ａは、照明器具１０と同様の構成であり、照明器具１１０ａ及び２１０ａは、照明器具１１０及び２１０と同様の構成であるため、以下では詳細な説明が省略される場合がある。また、以下の実施の形態１では、照明器具１０、１１０、及び２１０は、第１グループの照明器具、照明器具１０ａ、１１０ａ、及び２１０ａは、第２グループの照明器具と記載される場合がある。
【００１７】
壁スイッチ２０は、建物の壁面に取り付けられ、ユーザが第１グループの照明器具の点灯または消灯を切り替えるためのスイッチである。壁スイッチ２０には、汎用のどのようなスイッチが用いられてもよい。壁スイッチ２０ａも同様である。
【００１８】
分電盤４０は、当該分電盤４０に電力線を介して接続される複数の機器（複数の回路）のそれぞれに、電力系統６０（商用系統）から供給される電力を供給する。ここで、分電盤４０に接続される複数の機器には、第１グループの照明器具及び第２グループの照明器具が含まれるが、これ以外にも、空調機器（エアコン）などが含まれる。また、分電盤４０は、照明器具のみが接続される電灯盤であってもよい。
【００１９】
また、分電盤４０は、箱状の筐体（図示せず）を有し、当該筐体の内部に、主幹ブレーカ４２と、分電盤４０に接続される各電力線（回路）ごとに設けられた分岐ブレーカ（図１では、分岐ブレーカ４３及び４３ａ）とを有する。
【００２０】
主幹ブレーカ４２は、所定の電流（電力会社との契約で定められる電力に基づく電流）を超える電流が電力系統６０から流れた時に、電力系統６０からの電力の供給を停止するブレーカである。
【００２１】
分岐ブレーカ４３及び４３ａは、当該分岐ブレーカに接続された電力線に過電流が流れた場合に、当該電力線への電力の供給を停止するブレーカである。
【００２２】
また、実施の形態１では、分電盤４０は、電力計測装置４１を有する。電力計測装置４１は、分電盤４０に電力線を介して接続された複数の機器の電力使用量の合計を測定する電力計である。電力計測装置４１は、測定した電力使用量を計測信号としてデマンドコントローラ３０に出力する。
【００２３】
デマンドコントローラ３０は、分電盤４０に電力線を介して接続される複数の機器の運転状況や電力使用量を管理する装置である。
【００２４】
実施の形態１では、デマンドコントローラ３０は、分電盤４０に電力線を介して接続された複数の機器の電力使用量を取得し、取得した電力使用量に応じてデマンド信号を出力する。デマンドコントローラ３０は、具体的には、分電盤４０が有する電力計測装置４１が測定した、上記複数の機器の電力使用量の合計を取得し、取得した電力使用量の合計が所定の目標使用量を超えると予測される場合にデマンド信号を出力する。なお、実施の形態１では、電力計測装置４１とデマンドコントローラ３０とは、通信線によって有線接続されるが、例えば、電力計測装置４１とデマンドコントローラ３０とは、無線通信を行ってもよく、通信方法は特に限定されない。
【００２５】
デマンドコントローラ３０は、例えば、電力使用量が所定の閾値（例えば、目標使用量の８０％）を超え、かつ、その後電力使用量が所定期間、上記所定の閾値を下回らなかった場合に、電力使用量が所定の目標使用量を超えると予測する。つまり、このような場合に、デマンドコントローラ３０は、デマンド信号を出力する。なお、デマンド信号は、例えば、目標使用量を超えると予測されたときにハイレベルとなり、それ以外のときにローレベルとなる２値の電気信号であるが、その他、どのような態様であってもよい。
【００２６】
なお、上記のような所定の閾値は、複数設けられてもよい。デマンドコントローラ３０は、電力使用量が第１の閾値（例えば、目標使用量の８０％）を超えた場合、第１デマンド信号を出力し、電力使用量が第２の閾値（例えば、目標使用量の９０％）を超えた場合、第２デマンド信号を出力してもよい。
【００２７】
なお、デマンドコントローラ３０は、分電盤４０とは別に設けられ、かつ、分電盤に接続された複数の機器の電力使用量を測定するスマートメータ、または、外部サーバ（例えば、電力供給事業者のサーバ）から電力使用量の合計を取得してもよい。この場合、デマンドコントローラ３０は、上記のスマートメータ等と有線または無線のどのような通信ネットワークを用いて通信を行ってもよい。また、通信の方式（通信規格）についても特に限定されない。
【００２８】
なお、目標使用量、及び、所定の閾値は、デマンドコントローラ３０のユーザインターフェース（図１で図示せず）を通じてユーザによって任意に変更可能である。
【００２９】
制御盤５０は、制御装置の一例であって、複数のスイッチ（図１ではスイッチ５３及び５３ａ）から構成されるスイッチ部５２と、スイッチ制御部５１と、受信部５４と、記憶部５５とを備える。なお、スイッチ５３とスイッチ５３ａとは実質的に同一の機能を有するスイッチであるため、以下ではスイッチ５３についてのみ説明し、スイッチ５３ａについての説明は省略される。
【００３０】
スイッチ部５２は、複数のスイッチを含むスイッチ装置であり、各スイッチのオン及びオフは、スイッチ制御部５１によって制御される。スイッチ部５２には、スイッチ５３及びスイッチ５３ａが含まれる。
【００３１】
スイッチ５３は、照明器具１０に接続される電力線７０上に設けられるスイッチである。スイッチ５３は、例えば、リレー素子またはパワートランジスタなどにより実現される。
【００３２】
スイッチ制御部５１は、デマンドコントローラ３０から出力されたデマンド信号に基づいてスイッチ部５２に含まれる複数のスイッチ（例えば、スイッチ５３及びスイッチ５３ａ）を第１所定期間オフすることにより、複数の照明器具への電力供給を第１所定期間停止する制御を行う。つまり、スイッチ制御部５１は、デマンド信号に基づいてスイッチ５３及び５３ａを第１所定期間オフした後にオンする制御（以下、単に、瞬時オフ制御とも記載する）を行う。なお、第１所定期間は、例えば、１秒以上２秒以内の長さの期間である。
【００３３】
また、実施の形態１では、スイッチ制御部５１は、スイッチ部５２に含まれる複数のスイッチを異なるタイミングで第１所定期間オフする。また、スイッチ制御部５１は、デマンド信号を受信する直前の第３所定期間において受信部１９ａが受信した識別情報が示すスイッチを、デマンド信号を受信する直前の第３所定期間において受信部１９ａが識別情報を受信しなかった照明器具に対応するスイッチよりも後に、第１所定期間オフする。なお、第３所定期間は、例えば、３０分以上２時間未満の期間である。このようなスイッチ制御部５１の動作の詳細については後述する。
【００３４】
スイッチ制御部５１は、具体的には、電気信号（制御信号）により、スイッチ部５２に含まれる複数のスイッチをオン及びオフする。スイッチ制御部５１は、例えば、マイクロコンピュータによって実現されるが、プロセッサまたは専用回路によって実現されてもよい。
【００３５】
なお、実施の形態１では、スイッチ制御部５１（制御盤５０）と、デマンドコントローラ３０とは、通信線によって有線接続され、当該通信線を通じてデマンド信号の送受信が行われる。しかしながら、例えば、スイッチ制御部５１とデマンドコントローラ３０とは、無線通信を行ってもよいし、通信方法（通信規格）等も特に限定されない。
【００３６】
受信部５４は、親機として動作する照明器具１０が送信した、照明器具１０の識別情報及び検知信号を受信する。識別情報は、具体的には、照明器具のＩＤであり、後述する記憶部５５を用いて照明器具１０に対応するスイッチ５３（照明器具１０ａの場合は、スイッチ５３ａ）を間接的に特定できる情報であるが、照明器具１０に対応するスイッチ５３を直接的に特定できる情報であってもよい。つまり、識別情報は、照明器具１０に対応するスイッチ５３を直接的または間接的に示す情報であればよい。
【００３７】
また、検知信号は、親機として動作する照明器具１０が、当該照明器具が備える人感センサが人を検知したときにブロードキャスト送信する信号である。なお、検知信号は必須ではなく、識別情報の送信によって照明器具１０に対応するスイッチ５３が特定できる場合には、送信されなくてもよい。
【００３８】
受信部５４は、具体的には、無線通信回路（無線通信モジュール）であり、微弱無線通信によって親機として動作する照明器具１０及び１０ａと無線通信を行う。なお、受信部５４が行う無線通信の規格は、特に限定されるものではなく、特定小電力無線、無線ＬＡＮ、または、赤外線通信など、どのような規格が用いられてもよい。また、受信部５４は、有線通信用の通信回路（通信モジュール）であって、照明器具１０及び１０ａと有線通信を行ってもよい。
【００３９】
記憶部５５は、スイッチ部５２に含まれる複数のスイッチの優先順位が記憶された記憶装置である。ここでの優先順位は、スイッチ部５２に含まれる複数のスイッチを瞬時オフするときの優先順位である。実施の形態１では、記憶部５５には、複数の照明器具の識別情報と、当該照明器具に対応するスイッチと、当該スイッチの優先順位が対応付けられて記憶されている。
【００４０】
記憶部５５に記憶されたスイッチの優先順位は、受信部５４が当該スイッチに対応する照明器具から識別情報及び検知信号を受信すると低い順位に書き換えられる。スイッチ制御部５１は、記憶部５５に記憶された優先順位にしたがって、スイッチ部５２に含まれる複数のスイッチを順次、第１所定期間オフする。つまり、人がいる部屋に設けられた照明器具に対応するスイッチは、人がいない部屋に設けられた照明器具に対応するスイッチよりも後で瞬時オフされる。なお、書き換えられた優先順位は、一定期間以上、識別情報及び検知信号が受信されない場合にはリセットされて元の優先順位に戻る。
【００４１】
記憶部５５は、例えばフラッシュメモリまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリである。なお、記憶部５５は、スイッチ制御部５１に含まれてもよい。
【００４２】
［照明器具の構成］
次に、照明器具１０の詳細な構成について説明する。まず、親機として動作する照明器具１０の構成について説明する。図２は、親機として動作する照明器具１０の外観図であり、図３は、親機として動作する照明器具１０の機能構成を示すブロック図である。なお、照明器具１０ａも照明器具１０と同様の構成である。
【００４３】
図２及び図３に示されるように、照明器具１０は、器具本体１６と、発光部１２と、電力変換部１４と、検出部１７と、制御部１１と、設定受付部１３と、記憶部１５と、人感センサ１８と、送信部１９とを備える。
【００４４】
器具本体１６は、照明器具１０のベースとなる部材であり、例えばボルト及びナット等により天井に固定される。
【００４５】
発光部１２は、電力線７０からの供給電力（より具体的には、制御部１１から供給される電力）により発光する。発光部１２は、より詳細には、発光モジュールと、発光モジュールを覆うカバー部材とからなる。
【００４６】
発光モジュールは、基板上に発光素子としてＬＥＤ素子が実装されたモジュールである。発光モジュールは、基板上にＬＥＤチップが直接実装されたＣＯＢ（Ｃｈｉｐ  Ｏｎ  Ｂｏａｒｄ）型の発光モジュールであってもよいし、基板上に表面実装型（ＳＭＤ：Ｓｕｒｆａｃｅ  Ｍｏｕｎｔ  Ｄｅｖｉｃｅ）のＬＥＤ素子が実装されたＳＭＤ型の発光モジュールであってもよい。なお、表面実装型のＬＥＤ素子とは、樹脂成型されたキャビティの中にＬＥＤチップを実装して当該キャビティ内に蛍光体含有樹脂を封入したパッケージ型のＬＥＤ素子である。
【００４７】
カバー部材は、発光モジュールから発せられた光を透過させる部材である。カバー部材は、例えば、透明なガラスまたは樹脂で形成されるが、シリカまたは炭酸カルシウムなどの光拡散材（微粒子）を含有する白色の樹脂で形成されてもよい。
【００４８】
電力変換部１４は、電力系統６０から電力線７０を介して供給される交流電力を直流電力に変換して制御部１１に出力する。電力変換部１４は、具体的には、例えば、ブリッジ型全波整流回路であるが、ＡＣ−ＤＣコンバータＩＣなど、どのような態様であってもよい。
【００４９】
検出部１７は、電力線７０からの電力供給の停止を検出する。検出部１７は、具体的には、電力供給が第１所定期間停止されたこと（瞬時オフ）を検出する。ここで、第１所定期間は、例えば、１秒以上２秒以内の長さの期間であるが、特に限定されるものではない。
【００５０】
検出部１７は、例えば、スイッチ５３の瞬時オフを検出する検出回路を含む回路である。検出回路の詳細については後述する。なお、検出部１７は、マイクロコンピュータまたはプロセッサによって実現されてもよい。
【００５１】
制御部１１は、電力変換部１４から出力された直流電力を用いて発光部１２の発光制御を行う。実施の形態１では、制御部１１は、スイッチ５３の瞬時オフを検出部１７が検出した場合に、検出の直前の第２所定期間において人感センサ１８が人を検知していたときには、検出の直前の第１調光状態よりも暗い第２調光状態で発光部１２を発光させる。また、制御部１１は、スイッチ５３の瞬時オフを検出部１７が検出した場合に、検出の直前の第２所定期間において人感センサ１８が人を検知していなかったときには、第２調光状態よりも暗い第３調光状態で発光部１２を発光させる。
【００５２】
第２所定期間は、具体的には、３０分の期間であるが特に限定されない。第２所定期間の長さは、ユーザのニーズに応じて変更可能であってもよく、例えば、３０分の整数倍の長さの期間（３０分、６０分、９０分・・）などに設定される。なお、設定の変更は、例えば、後述の設定受付部１３を通じて行われる。
【００５３】
このような発光制御により、照明器具１０の周りに人がいると予想される場合には、人がいないと予想される場合よりも発光部１２が明るく調光されるため、ユーザの快適性及び安全性を高めることができる。
【００５４】
また、制御部１１は、第２調光状態または第３調光状態で発光部１２を発光させているときに、電力線７０から照明器具１０への電力供給が第１所定期間よりも長い期間停止されたことを検出部１７が検出した場合であって、かつ、次に電力供給が開始された場合には、第１調光状態で発光部１２を発光させる。つまり、制御部１１は、照明器具１０を第２調光状態または第３調光状態から第１調光状態に復帰させる。ここで、第１所定期間よりも長い期間（第４所定期間）は、実施の形態１では、２秒よりも長い期間であり、例えば３秒であるが、特に限定されるものではない。
【００５５】
このような構成により、ユーザは、壁スイッチ２０をオフにし、上記瞬時オフの期間よりも長い期間の経過後、再びオンすれば、発光部１２を第１調光状態に復帰させることができる。なお、第１調光状態への復帰は、デマンド信号に基づいてスイッチ制御部５１が行ってもよいし、ユーザのリモコン操作（設定受付部１３への指示の入力）によって行われてもよい。
【００５６】
制御部１１は、例えば、発光部１２に供給する電力を調整するチョッパ制御回路を含む回路である。チョッパ制御回路とは、具体的には、ＰＷＭ（Ｐｕｌｓｅ  Ｗｉｄｔｈ  Ｍｏｄｕｌａｔｉｏｎ）回路や、ＰＦＭ（Ｐｕｌｓｅ  Ｆｒｅｑｕｅｎｃｙ  Ｍｏｄｕｌａｔｉｏｎ）回路などである。なお、制御部１１は、マイクロコンピュータまたはプロセッサによって実現されてもよい。
【００５７】
設定受付部１３は、ユーザの、第１調光状態、第２調光状態、及び第３調光状態の設定を受け付ける。設定受付部１３は、具体的には、リモコンの受光部であり、ユーザは、リモコンを通じて第１調光状態、第２調光状態、及び第３調光状態の設定を行う。なお、「調光状態」には、全灯の状態（調光比１００％）も含まれる。実施の形態１では、第１調光状態は、全灯の状態に設定され、第２調光状態は、調光比が５０％の状態に設定され、第３調光状態は、調光比が２５％の状態にされているものとする。
【００５８】
なお、設定受付部１３の具体的態様は、リモコンの受光部に限定されるものではない。設定受付部１３は、例えば、ディップスイッチなどのハードウェアであってもよい。
【００５９】
記憶部１５は、設定受付部１３が受け付けた調光状態の設定が記憶される記憶装置（メモリ）である。記憶された調光状態の設定は、制御部１１によって参照される。
【００６０】
また、記憶部１５には、人感センサ１８により人が検知された場合に、その旨が記憶される。記憶部１５には、例えば、人感センサ１８により人が検知された場合に、制御部１１によって調光用のフラグ「１」が立てられ、フラグが立てられてから第２所定期間の間、人感センサ１８により人が検知されなかった場合には、フラグは「０」とされる。
【００６１】
このような構成により、制御部１１は、スイッチ５３の瞬時オフを検出部１７が検出した場合に、検出の直前の第２所定期間において人感センサ１８が人を検知していたか否かを、記憶部１５内のフラグを参照することにより判定することができる。
【００６２】
記憶部１５は、具体的には、フラッシュメモリまたはＥＥＰＲＯＭなどの半導体メモリである。なお、記憶部１５は、制御部１１に含まれてもよい。
【００６３】
人感センサ１８は、検知範囲における人の存在を検知し、電気信号を制御部１１に出力するセンサである。人感センサ１８は、例えば、ＰＩＲ（Ｐａｓｓｉｖｅ  Ｉｎｆｒａｒｅｄ  Ｒａｙ）センサであって、検知範囲における、人体から放出される赤外線（温度変化）を検知する。すなわち、人感センサ１８は、熱を放出する物体を検知することができる。なお、人感センサ１８は、ＰＩＲセンサに限定されるものではなく、赤外線検出素子が複数配列された熱画像センサであってもよいし、アクティブ型のセンサであってもよい。また、人感センサ１８は、ＣＭＯＳ画像センサなどの撮像素子及び画像処理用のプロセッサを含む撮像モジュールであってもよい。
【００６４】
送信部１９は、照明器具１０が備える人感センサ１８が人を検知したときに、照明器具１０の識別情報及び検知信号を送信する。このうち検知信号は、子機として動作する照明器具１１０及び２１０（人感センサ１８を有しない照明器具）を第２調光状態または第３調光状態で発光させるための信号である。検知信号は、送信部１９によってブロードキャスト送信され、制御盤５０（受信部５４）及び子機として動作する照明器具１１０及び２１０によって受信される。なお、照明器具１０の送信部１９が送信した検知信号は、グループが異なる照明器具（照明器具１１０ａ及び２１０ａ）によって受信された場合、無視される。
【００６５】
例えば、照明器具１１０ａが照明器具１０の送信部１９が送信した識別情報及び検知信号を受信した場合、照明器具１１０ａの制御部１１は、受信した識別情報と、照明器具１１０ａの記憶部１５に記憶されている識別情報との照合を行う。受信した識別情報が照明器具１１０ａの記憶部１５に記憶されていない場合には、照明器具１１０ａの制御部１１は、検知信号を無視する処理を行う。ここで、照明器具１１０ａの記憶部１５には、照明器具１０ａの識別情報は記憶されているが、照明器具１０の識別情報は記憶されていないため、照明器具１１０ａの制御部１１は、検知信号を無視する処理を行う。
【００６６】
送信部１９は、具体的には、無線通信回路（無線通信モジュール）であり、微弱無線通信によって制御盤５０の受信部５４と通信を行う。なお、受信部５４と同様に、送信部１９が行う通信の態様は、特に限定されるものではない。
【００６７】
次に、子機として動作する照明器具１１０について説明する。図４は、子機として動作する照明器具１１０の機能構成を示すブロック図である。なお、照明器具１１０の外観は、人感センサ１８が設けられていないことを除けば照明器具１０と同様であるため図示が省略される。なお、照明器具２１０、１１０ａ、及び２１０ａも照明器具１１０と同様の構成である。
【００６８】
図４に示されるように、子機として動作する照明器具１１０は、照明器具１０と異なり、人感センサ１８及び送信部１９を備えず、受信部１９ａを備える。以下、照明器具との相違点を中心に説明する。
【００６９】
受信部１９ａは、親機として動作する照明器具１０の送信部１９がブロードキャスト送信した、照明器具１０の検知信号を受信する。
【００７０】
受信部１９ａは、具体的には、無線通信回路（無線通信モジュール）であり、微弱無線通信によって送信部１９と通信を行う。なお、受信部１９ａが行う通信の態様は、特に限定されるものではない。
【００７１】
例えば、受信部１９ａは、赤外線通信を行ってもよい。この場合、受信部１９ａは、赤受光部である。なお、このような場合には、当該受光部を受信部１９ａ及び設定受付部１３として兼用することも可能である。これにより、部品点数及びコストの削減が実現される。
【００７２】
また、照明器具１１０の記憶部１５には、受信部１９ａによって検知信号が受信された場合、つまり、照明器具１０の人感センサ１８により人が検知された場合に、その旨が記憶される。照明器具１１０の記憶部１５には、例えば、受信部１９ａによって検知信号が受信された場合に、照明器具１１０の制御部１１によってフラグ「１」が立てられ、フラグが立てられてから第２所定期間の間、受信部１９ａによって検知信号が受信されなかった場合には、フラグは「０」とされる。
【００７３】
このような構成により、照明器具１１０の制御部１１は、スイッチ５３の瞬時オフを照明器具１１０の検出部１７が検出した場合に、検出の直前の第２所定期間において照明器具１０の人感センサ１８が人を検知していたか否かを、照明器具１１０の記憶部１５内のフラグを参照することにより判定することができる。
【００７４】
以上、親機として動作する照明器具１０（照明器具１０ａ）、及び、子機として動作する照明器具１１０（照明器具２１０、１１０ａ、及び２１０ａ）について説明した。実施の形態１では、これら複数の照明器具はグループに分けられ、グループごとにまとまって配置される。図５は、照明器具の配置の一例を説明するための図である。なお、図５は、天井面を下方から見上げた場合の照明器具の配置を模式的に示す図である。
【００７５】
図５においては、破線で囲まれる照明器具が１つのグループに対応する。
【００７６】
１つのグループには、１台の親機と、３台の子機が含まれる。例えば、図５の左上に位置するグループは、上述の第１グループであり、照明器具１０、１１０、及び２１０が含まれる。また第１グループの右に位置するグループは、上述の第２グループであり、照明器具１０ａ、１１０ａ、及び２１０ａが含まれる。
【００７７】
１つのグループに対しては、１つの親機と１つのスイッチ（図中でＳＷ１〜ＳＷ１２と記載される）が設けられる。ここで、上述のように、１つの親機（例えば、照明器具１０）は、制御盤５０と、当該親機が属するグループの子機（例えば、照明器具１１０及び２１０）に検知信号をブロードキャスト送信する。
【００７８】
また、グループごとに設けられたスイッチは、スイッチ部５２に含まれる複数のスイッチのうちの１つに相当するスイッチである。例えば、ＳＷ１は、スイッチ５３に相当し、ＳＷ５は、スイッチ５３ａに相当する。スイッチ制御部５１は、スイッチ部５２に含まれる１つのスイッチを瞬時オフすることにより、１つのグループをデマンド制御（減光制御）することができる。つまり、スイッチ制御部５１は、デマンド制御をグループごとに行うことができる。
【００７９】
したがって、図５に示されるように、１つの部屋の天井に、複数の照明器具がグループごとにまとまって配置されている場合には、領域ごとに部分的にデマンド制御を行うことができる。例えば、１つの部屋のうちの特定の領域（例えば、会議スペースなど）は、優先順位を下げて（または上げて）デマンド制御を行う、といったことが可能である。
【００８０】
［瞬時オフの検出回路］
次に、検出部１７に含まれる、スイッチ５３の瞬時オフの検出回路の一例について説明する。図６は、検出回路の回路図である。図７は、検出回路における電圧波形を示す図である。なお、図６では、瞬時オフの検出に関連する構成のみが図示されている。また、図７は、模式図であり、電圧波形のレベル及び周波数を正確に表した図ではない。
【００８１】
検出回路８０は、電力系統６０からのスイッチ５３の瞬時オフ動作を検出するための回路である。検出回路８０は、４つのダイオードＤ１〜Ｄ４を含むブリッジ型の全波整流回路８１を有する。全波整流回路８１は、図７の（ａ）に示される電力系統からの交流電圧（ＡＣ）をダイオードＤ１〜Ｄ４により整流する。なお、上述の電力変換部１４に全波整流回路が含まれる場合は、全波整流回路８１に代えて電力変換部１４に含まれる全波整流回路が利用されてもよい。
【００８２】
整流後の電圧は、平滑コンデンサＣ１により平滑化され、かつ、抵抗Ｒ１及び抵抗Ｒ２で分圧されてトランジスタＴｒ１のベースに入力される。ここで、トランジスタＴｒ１のベース電圧（電圧Ｖ１）は、図７の（ｂ）に示されるような波形となる。ここで、電圧Ｖ１のピーク値は、例えば、５Ｖ程度である。
【００８３】
スイッチ５３がオン状態である期間Ｔ１においては、電圧Ｖ１は、トランジスタＴｒ１の閾値電圧よりも大きくなるため、トランジスタＴｒ１はオン状態となる。よって、図７の（ｃ）に示されるように、期間Ｔ１においては、トランジスタＴｒ１のコレクタ電圧（電圧Ｖ２）は、ローレベル（０Ｖ）となる。
【００８４】
一方、スイッチ５３がオフ状態である期間Ｔ２においては、電圧Ｖ１は、抵抗Ｒ２によってプルダウンされて０Ｖとなり、トランジスタＴｒ１の閾値電圧よりも小さくなるため、トランジスタＴｒ１はオフ状態となる。よって、期間Ｔ２においては、図７の（ｃ）に示されるように、電圧Ｖ２は、ハイレベル（Ｖｃｃ）となる。
【００８５】
以上のように、検出回路８０から出力される電圧Ｖ２は、図７の（ｄ）に示されるスイッチ５３のオン及びオフに対応する。したがって、検出部１７は、このような検出回路８０の出力をモニタ（サンプリング）することにより、スイッチ５３の瞬時オフを検出できる。
【００８６】
［照明システムの動作１］
次に、照明システム１００の動作について、図８を用いて説明する。図８は、照明システム１００の動作シーケンス図である。
【００８７】
まず、照明器具１０の制御部１１は、第１調光状態、すなわち、全灯状態で照明器具１０の発光部１２を発光させる（Ｓ１０）。同様に、照明器具１０ａの制御部１１は、第１調光状態で照明器具１０ａの発光部１２を発光させる（Ｓ１１）。なお、図示されないが、子機として動作する照明器具１１０、２１０、１１０ａ、及び２１０ａについてもこの時点においては第１調光状態で発光しているものとする。
【００８８】
一方、デマンドコントローラ３０は、電力計測装置４１から電力使用量を取得し（Ｓ１２）、電力使用量の予測値が目標使用量を超えるかどうかの判定を行う（Ｓ１３）。上述のように、実施の形態１では、デマンドコントローラ３０は、電力使用量が目標使用量を超えると予測された場合（Ｓ１３でＹｅｓ）、電力使用量が目標使用量を超えると予測されることを示すデマンド信号を制御盤５０に出力する（Ｓ１４）。
【００８９】
ここで、図８の例では、照明器具１０の人感センサ１８は、デマンド信号が出力される直前の第３所定期間内（≒スイッチ制御部５１がデマンド信号を受信する直前の第３所定期間内）に人を検知していない（Ｓ１５）。一方、照明器具１０ａの人感センサは、デマンド信号が出力される直前の第３所定期間内に人を検知しており（Ｓ１６）、照明器具１０ａの送信部１９は、照明器具１０ａに対応するスイッチ５３ａを示す識別情報を制御盤５０の受信部５４に送信する（Ｓ１７）。
【００９０】
なお、図示されないが、ステップＳ１７においては、検知信号がブロードキャスト送信され、制御盤５０、並びに、照明器具１１０ａ及び２１０ａは、ブロードキャスト送信された検知信号を受信する。
【００９１】
制御盤５０のスイッチ制御部５１は、ステップＳ１４において出力されたデマンド信号をデマンドコントローラ３０から受信すると（Ｓ１８）、スイッチ部５２に含まれる複数のスイッチを異なるタイミングで瞬時オフする（Ｓ１９）。図８の例では、受信部５４は、照明器具１０ａからは識別情報を受信しているが、照明器具１０ａからは識別情報を受信していない。このため、記憶部５５に記憶されたスイッチ５３の優先順位は、スイッチ５３ａの優先順位よりも高くなっている。
【００９２】
したがって、スイッチ制御部５１は、まず、スイッチ５３を瞬時オフし（Ｓ１９）、電力線７０から照明器具１０への電力供給を第１所定期間停止する。その後、スイッチ制御部５１は、スイッチ５３ａを瞬時オフし（Ｓ２０）、電力線７０から照明器具１０ａへの電力供給を第１所定期間停止する。
【００９３】
このように、スイッチ制御部５１は、デマンド信号を受信する直前の第３所定期間において受信部５４が受信した識別情報が示すスイッチ５３ａを、デマンド信号を受信する直前の第３所定期間において受信部５４が識別情報を受信しなかった照明器具１０に対応するスイッチ５３よりも後に、第１所定期間オフする。
【００９４】
以下、このような瞬時オフを検出した場合の照明器具１０及び照明器具１０ａの調光状態について、図８に加えて図９をさらに用いて説明する。図９は、調光状態と時間との関係を示す図である。
【００９５】
図９の（ａ）に示されるように、ステップＳ１９においてスイッチ５３が瞬時オフされると、照明器具１０の検出部１７は、電力供給の瞬時オフ（第１所定期間停止されたこと）を検出する（Ｓ２１）。図９の（ａ）の例では、第１所定期間は、２秒の長さの期間であり、この期間においては、照明器具１０の発光部１２は、一時的に消灯する。なお、この消灯は、ユーザに対するデマンド制御の予告としても機能する。
【００９６】
ここで、検出の直前の第２所定期間において、照明器具１０の人感センサ１８は、人を検知していないため、照明器具１０の記憶部１５内の調光用のフラグは「０」となっている。したがって、照明器具１０の制御部１１は、電力供給が再開されると、第３調光状態で照明器具１０の発光部１２を発光させる（Ｓ２２）。
【００９７】
なお、図示されないが、照明器具１０の子機として動作する照明器具１１０及び２１０のそれぞれの検出部１７は、ステップＳ２１と同じタイミングで電力供給の瞬時オフを検出する。ここで、照明器具１１０の受信部１９ａ及び照明器具２１０の受信部１９ａは、検出の直前の第２所定期間において検知信号を受信していない。このため、照明器具１１０の記憶部１５内の調光用のフラグ、及び、照明器具２１０の記憶部１５内の調光用のフラグは、「０」となっている。
【００９８】
したがって、ステップＳ２２と同じタイミングにおいて、照明器具１１０の制御部１１は、第３調光状態で照明器具１１０の発光部１２を発光させる。同様に、照明器具２１０の制御部１１は、第３調光状態で照明器具２１０の発光部１２を発光させる。
【００９９】
一方、図９の（ｂ）に示されるように、ステップＳ２０においてスイッチ５３ａが瞬時オフされると、照明器具１０ａの検出部１７は、電力供給の瞬時オフ（第１所定期間停止されたこと）を検出する（Ｓ２３）。このとき、照明器具１０ａの発光部１２は、２秒間消灯する。
【０１００】
ここで、検出の直前の第２所定期間において、照明器具１０ａの人感センサ１８は、人を検知しているため、照明器具１０ａの記憶部１５内の調光用のフラグは「１」となっている。したがって、照明器具１０ａの制御部１１は、電力供給が再開されると、第２調光状態で照明器具１０ａの発光部１２を発光させる（Ｓ２４）。図９に示されるように、スイッチ５３ａの瞬時オフは、例えば、スイッチ５３の瞬時オフの６０秒後に行われる。
【０１０１】
なお、図示されないが、照明器具１０ａの子機として動作する照明器具１１０ａ及び２１０ａのそれぞれの検出部１７は、ステップＳ２３と同じタイミングで電力供給の瞬時オフを検出する。ここで、照明器具１１０ａの受信部１９ａ及び照明器具２１０ａの受信部１９ａは、上記ステップＳ１７において検知信号を受信している。つまり、照明器具１１０ａの受信部１９ａ及び照明器具２１０ａの受信部１９ａは、検出の直前の第２所定期間において検知信号を受信している。このため、照明器具１１０ａの記憶部１５内の調光用のフラグ、及び、照明器具２１０ａの記憶部１５内の調光用のフラグは、「１」となっている。
【０１０２】
したがって、ステップＳ２４と同じタイミングにおいて、照明器具１１０ａの制御部１１は、第２調光状態で照明器具１１０の発光部１２を発光させ、照明器具２１０ａの制御部１１は、第２調光状態で照明器具２１０の発光部１２を発光させる。
【０１０３】
［照明システムの動作２］
次に、照明システム１００における、照明器具１０及び１０ａの第１調光状態への復帰動作について説明する。図１０は、照明システム１００の第１調光状態への復帰動作のシーケンス図である。なお、図１０は、スイッチ制御部５１によって照明器具１０及び１０ａの第１調光状態への復帰が行われる例を示すが、上述したように、照明器具１０及び１０ａの第１調光状態への復帰は、ユーザの壁スイッチ２０のオフオンなどによって行われてもよい。
【０１０４】
図８と同様に、図１０においても、照明器具１０の発光部１２は、第３調光状態で発光しており（Ｓ２２）、照明器具１０ａの発光部１２は、第２調光状態で発光している（Ｓ２４）とする。
【０１０５】
このとき、制御盤５０のスイッチ制御部５１は、デマンドコントローラ３０からのデマンド信号の受信が所定期間以上途絶えると（Ｓ２５）、第１所定期間よりも長い期間、スイッチ５３及び５３ａをオフする（Ｓ２６）。なお、「デマンド信号の受信が所定期間以上途絶える」とは、実施の形態１では、デマンド信号のハイレベルの期間が所定期間以上途絶える（ローレベルの期間が所定期間以上続く）、の意味である。
【０１０６】
電力供給が再開されると、照明器具１０の発光部１２は、第１発光状態で発光し（Ｓ２７）、照明器具１０ａの発光部１２は、第１発光状態で発光する（Ｓ２８）。
【０１０７】
なお、図示されないが、子機として動作する照明器具１１０、２１０、１１０ａ、及び２１０ａについても同様に。ステップＳ２７及びステップＳ２８と同じタイミングにおいて第１調光状態に復帰する。
【０１０８】
［効果等］
以上説明したように、照明システム１００は、照明器具１０と、デマンドコントローラ３０と、制御盤５０とを備える。照明器具１０は、分電盤４０に電力線７０を介して接続され、当該電力線７０からの電力供給により発光する。デマンドコントローラ３０は、分電盤４０に電力線を介して接続された、照明器具１０を含む複数の機器の電力使用量を取得し、取得した電力使用量に応じてデマンド信号を出力する。制御盤５０は、照明器具１０に接続された電力線７０上に設けられるスイッチ５３、及び、出力されたデマンド信号を受信した場合にスイッチ５３を第１所定期間オフすることにより、上記電力供給を第１所定期間停止する制御を行うスイッチ制御部５１を有する。
【０１０９】
照明器具１０は、上記電力供給により発光する発光部１２と、上記電力供給の停止を検出する検出部１７と、人感センサ１８と、制御部１１とを有する。制御部１１は、上記電力供給が第１所定期間停止されたことを検出部１７が検出した場合に、当該検出の直前の第２所定期間において人感センサ１８が人を検知していたときには、当該検出の直前の第１調光状態よりも暗い第２調光状態で発光部１２を発光させる。また、制御部１１は、上記電力供給が第１所定期間停止されたことを検出部１７が検出した場合に、第２所定期間において人感センサ１８が人を検知していなかったときには、第２調光状態よりも暗い第３調光状態で発光部１２を発光させる。
【０１１０】
これにより、照明器具１０の周辺に人（ユーザ）が存在すると予想される場合には、照明器具１０は、周辺に人が存在しないと予想される場合よりも明るく調光されるようにデマンド制御が行われるため、ユーザの快適性及び安全性を高めることができる。また、人が不在と考えられる領域に配置された照明器具の方がより暗く調光されるため、効率的に消費電力を削減することができる。
【０１１１】
また、制御盤５０は、複数のスイッチ５３及び５３ａを備え、照明システム１００は、複数のスイッチ５３及び５３ａにそれぞれ対応する複数の照明器具１０及び１０ａを備える。スイッチ制御部５１は、複数のスイッチ５３及び５３ａを異なるタイミングで第１所定期間オフしてもよい。
【０１１２】
これにより、照明器具１０及び１０ａが同一の空間に設けられる場合には、段階的に減光が行われる。急激な減光が抑制されることにより、ユーザの快適性及び安全性を高めることができる。
【０１１３】
例えば、制御盤５０は、複数のスイッチ５３及び５３ａの優先順位が記憶された記憶部５５を備え、スイッチ制御部５１は、記憶部５５に記憶された優先順位にしたがって、複数のスイッチ５３及び５３ａを順次、第１所定期間オフしてもよい。
【０１１４】
これにより、記憶部５５に記憶された優先順位にしたがって、複数の照明器具１０及び１０ａを順次暗くすることができる。
【０１１５】
また、例えば、複数の照明器具１０及び１０ａのそれぞれは、さらに、当該照明器具が備える人感センサ１８が人を検知したときに、当該照明器具に対応するスイッチを示す識別情報を送信する送信部１９を備えてもよい。また、制御盤５０は、さらに、送信部１９が送信した識別情報を受信する受信部５４を備えてもよい。スイッチ制御部５１は、デマンド信号を受信する直前の第３所定期間において受信部５４が受信した識別情報が示すスイッチを、デマンド信号を受信する直前の第３所定期間において受信部５４が識別情報を受信しなかった照明器具に対応するスイッチよりも後に、第１所定期間オフしてもよい。
【０１１６】
これにより、照明器具１０及び１０ａが同一の空間に設けられる場合には、人が不在であると考えられる領域に配置された照明器具が、人が存在すると考えられる領域に配置された照明器具よりも先に暗くなるため、人が存在すると考えられる領域を長い間明るくすることができる。したがって、ユーザの安全性と快適性を高めることができる。
【０１１７】
また、照明器具１０は、さらに、人感センサ１８が人を検知したときに、照明器具１０以外の照明器具１１０及び２１０であって、人感センサ１８を有しない照明器具１１０及び２１０を第２調光状態または第３調光状態で発光させるための信号（検知信号）を送信する送信部１９を有してもよい。
【０１１８】
これにより、人感センサを有しない照明器具１１０及び２１０を、人感センサ１８の検知結果に応じた調光状態で発光させることができる。
【０１１９】
また、制御部１１は、第２調光状態または第３調光状態で発光部１２を発光させているときに、上記電力供給が第１所定期間よりも長い期間停止されたことを検出部が検出した場合であって、かつ、次に上記電力供給が開始された場合には、第１調光状態で発光部１２を発光させてもよい。
【０１２０】
これにより、第２調光状態または第３調光状態で発光している発光部１２を第１調光状態に戻すことができる。
【０１２１】
また、照明器具１０は、さらに、ユーザの、第１調光状態、第２調光状態、及び、第３調光状態の設定を受け付ける設定受付部を有してもよい。
【０１２２】
これにより、ユーザは、第１調光状態、第２調光状態、及び、第３調光状態のそれぞれの明るさを任意に設定することができる。
【０１２３】
なお、デマンドコントローラ３０は、取得した電力使用量が所定の目標使用量を超えると予測される場合にデマンド信号を出力する。また、第１所定期間は、例えば、１秒以上２秒以下の期間であり、第２所定期間は、例えば、３０分以上２時間未満の期間である。
【０１２４】
なお、照明システム１００は、既存の電力線を利用して複数の照明器具を容易に一括制御できる利点も有する。照明システム１００は、既にデマンドコントローラ３０が導入されている需要家であれば、制御盤５０を取り付け、既存の照明器具を照明器具１０（または照明器具１１０）と同様の照明器具に交換するだけで容易に導入可能である。つまり、照明システム１００の導入においては、新たに制御用の配線を設けるなどの大規模な工事は不要である。
【０１２５】
［変形例］
照明器具１０が有する人感センサ１８が、撮像モジュールである場合、このような人感センサ１８は、当該人感センサ１８を有する照明器具１０の設置場所における人の滞在時間を検知することができる。
【０１２６】
例えば、人感センサ１８が天井側からテーブル及びイスが置かれた室内を撮影しているとする。このとき、無人の状態の室内を基準画像として撮影し、イスの位置を人感センサ１８に認識させておく。人感センサ１８は、基準画像と、撮影中の画像を比較することにより人（物体）の有無を検知できる。
【０１２７】
ここで、イスの位置に物体が検知された場合には、イスに人が座っていると推定できる。このような場合、人感センサ１８は、人の滞在時間が長いと判定する。
【０１２８】
また、イス以外の位置に物体が検知された場合には、人が立っているまたは人が室内を移動していると推定できる。このような場合、人感センサ１８は、人の滞在時間が短いと判定する。人感センサ１８は、基準画像と撮影中の画像がほぼ一致し、人が検知されない場合には人がいないと判定する。
【０１２９】
以上のように、人感センサ１８が、撮像モジュールである場合、このような人感センサ１８は、当該人感センサ１８を有する照明器具１０の設置場所における人の滞在時間を簡易的に検知することができる。
【０１３０】
照明器具１０の送信部１９は、さらに、検出部１７が瞬時オフを検出する直前における、人感センサ１８が検知した滞在時間を示す滞在時間情報を送信し、制御盤５０の受信部５４は、送信部１９が送信した滞在時間情報を受信する。同様に、親機として動作する他の照明器具（例えば、照明器具１０ａ）の送信部１９も、当該照明器具が有する人感センサ１８が検知した滞在時間を示す滞在時間情報を送信する。
【０１３１】
これにより、スイッチ制御部５１は、人の滞在時間に応じて瞬時オフ制御を行うことができる。スイッチ制御部５１は、具体的には、受信された滞在時間情報が示す滞在時間が長い場所に設置された照明器具に対応するスイッチほど、遅いタイミングで第１所定期間オフする。
【０１３２】
例えば、照明システム１００に親機として動作する照明器具が３台含まれる場合であって、各照明器具が有する人感センサ１８の検知結果に基づいて、第１の照明器具が人の滞在時間が長い場所に設置され、第２の照明器具が人の滞在時間が短い場所に設置され、第３の照明器具が人が不在の場所に設置されていると推定される場合が考えられる。このような場合、スイッチ制御部５１は、第３の照明器具に対応するスイッチ、第２の照明器具に対応するスイッチ、第１の照明器具に対応するスイッチの順に、瞬時オフを行う。
【０１３３】
これにより、周辺に人が長く滞在すると予想される照明器具ほど後で暗くなるため、人が長く滞在すると考えられる領域を長い間明るくすることができる。このため、ユーザの快適性及び安全性を高めることができる。
【０１３４】
（その他の実施の形態）
以上、実施の形態１に係る照明システム１００について説明したが、本発明は、上記実施の形態１に限定されるものではない。
【０１３５】
例えば、上記実施の形態１では、照明器具間の通信と、照明器具と制御盤５０との間の通信とは、いずれも微弱無線通信であると説明された。しかしながら、照明器具間の通信と、照明器具と制御盤５０との間の通信とが、異なる方式であってもよい。
【０１３６】
また、上記実施の形態１では、制御盤５０の記憶部５５に記憶された優先順位は、書き換えられるとして説明されたが、制御盤５０の記憶部５５に記憶された優先順位は、予め定められた固定の優先順位であってもよい。
【０１３７】
また、上記実施の形態１では、照明器具１０（及び親機として動作する他の照明器具）は、人感センサ１８を有するものとして説明されたが、人感センサ１８は、照明システム１００に含まれればよく、照明器具１０と別体であってもよい。この場合、人感センサ１８の検知結果は、有線または無線の通信によって照明器具１０に送信される。
【０１３８】
また、照明器具１０（及び親機として動作する他の照明器具）は、人感センサ１８に代えて、または、人感センサ１８に加えて、他のセンサを備えてもよい。
【０１３９】
例えば、照明器具１０は、照度センサを備えてもよい。この場合、照明器具１０の送信部１９は、照度センサが検知した照度を示す情報を受信部５４に送信してもよい。
【０１４０】
この場合、スイッチ制御部５１は、デマンド信号を受信する直前の第３所定期間において受信部５４が受信した照度が所定の明るさ以上である照明器具に対応するスイッチを、第３所定期間において受信部５４が受信した照度が所定の明るさ未満である照明器具に対応するスイッチよりも後に、第１所定期間オフしてもよい。これにより、制御盤５０は、照度に応じた順番でデマンド制御を行うことができる。
【０１４１】
また、上記実施の形態１では、発光部１２には、発光素子としてＬＥＤまたはＬＥＤ素子が用いられた。しかしながら、発光部１２には、発光素子として、例えば、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子、さらには蛍光ランプが用いられてもよい。
【０１４２】
また、上記実施の形態１において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１４３】
また、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１４４】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、上記照明システム１００に用いられる照明器具１０として実現されてもよいし、制御盤５０（制御装置）として実現されてもよい。また、本発明は、照明システム１００に含まれる照明器具１０の制御方法として実現されてもよい。
【０１４５】
また、上記実施の形態１において説明された照明システム１００の動作シーケンスにおける複数の処理の順序は一例である。複数の処理の順序は、変更されてもよいし、複数の処理は、並行して実行されてもよい。
【０１４６】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１４７】
１０、１０ａ、１１０、１１０ａ、２１０、２１０ａ  照明器具
１１  制御部
１２  発光部
１３  設定受付部
１７  検出部
１８  人感センサ
１９  送信部
３０  デマンドコントローラ
４０  分電盤
５０  制御盤（制御装置）
５１  スイッチ制御部
５３、５３ａ  スイッチ
５４  受信部
７０、７０ａ  電力線
１００  照明システム
【図１】
0006508464.tif 000002
【図２】
0006508464.tif 000003
【図３】
0006508464.tif 000004
【図４】
0006508464.tif 000005
【図５】
0006508464.tif 000006
【図６】
0006508464.tif 000007
【図７】
0006508464.tif 000008
【図８】
0006508464.tif 000009
【図９】
0006508464.tif 000010
【図１０】
0006508464.tif 000011